(57)【要約】【課題】確実に蓋片を閉じることができ、蓋片と側面との隙間が小さく、異物の混入を防ぐことができる包装箱を提供する。【解決手段】筒体に組み立てた複数の側面１４，１６，１８，２０と、筒体の開口を閉鎖する蓋片４０と、蓋片４０の先端に差込み用折罫線４６を介して連続する差込片４４と、蓋片４０の裏面に重ねられて、蓋片４０を閉鎖した状態で係止するフラップ３４を備える。差込み用折罫線４６の両方の端部に、蓋片４０の側縁部に連通する切断線４８を有する。切断線４８は、差込み用折罫線４６の端部に交差し、開閉用折罫線４２から離れる方向へ延出する短線４８ａと、短線４８ａの端部に連続し、開閉用折罫線４２に対して略平行に位置して蓋片４０の側縁部に達する長線４８ｂとから成る。差込み用折罫線４６の中間部分の差込片４４は、差込片４４が差し込まれた側面１４に近づいて位置する。【選択図】図１
0003217875.tif 000002
【実用新案登録請求の範囲】
【請求項１】
筒体に組み立てた複数の側面と、前記側面の一つに開閉用折罫線を介して連続し前記筒体の開口を閉鎖する蓋片と、前記蓋片の先端に差込み用折罫線を介して連続する差込片と、前記蓋片が連続する前記側面の両側に隣接する前記側面に連続し前記蓋片の裏面に重ねられて前記蓋片を閉鎖した状態で係止するフラップが設けられ、前記差込み用折罫線の両方の端部には、前記蓋片の側縁部に連通する切断線が設けられ、
前記切断線は、前記差込み用折罫線の端部に交差して連続し前記開閉用折罫線から離れる方向へ延出する短線と、前記短線の前記開閉用折罫線から離れる方向の端部に連続し前記開閉用折罫線に対して略平行に位置し前記蓋片の前記側縁部に達する長線とで形成され、  前記蓋片を前記開閉用折罫線で折り、前記差込み用折罫線で前記差込片を折り、前記差込片を前記蓋片が設けられている前記側面に対面する一つの前記側面の裏面に差し込んで前記開口を閉鎖し、前記差込片の、前記切断線の前記長線に隣接する部分が前記フラップの裏面に当接し、前記蓋片の引き上げを防いで前記蓋片が閉鎖状態で係止される包装箱であって、
前記差込片の、前記差込み用折罫線に沿う方向の両端部付近は、前記差込片が差し込まれた前記側面から所定の間隔を開けて位置し、前記差込片の、前記差込み用折罫線に沿う方向の中間部分は、前記差込片が差し込まれた前記側面に近づいていることを特徴とする包装箱。
【請求項２】
前記差込み用折罫線は、長手方向の中間が前記開閉用折罫線から離れる方に膨出する円弧で形成され、前記差込み用折罫線の長手方向の中間は、前記切断線の前記一対の前記長線を結ぶ仮想線上にほぼ位置していることを特徴とする請求項１記載の包装箱。
【請求項３】
前記差込片の、前記差込み用折罫線に沿う方向の中間部分には、前記差込片を前記側面に差し込んだ時に前記側面側に突出するエンボス部が設けられていることを特徴とする請求項１又は２記載の包装箱。
【請求項４】
前記差込片が差し込まれた前記側面には、断続する切れ目で形成された開封線で囲まれた開封口が設けられ、前記差込片は前記側面に差し込んで前記開封口に糊付けされて封止されることを特徴とする請求項１記載の包装箱。
【考案の詳細な説明】
【技術分野】
【０００１】
この考案は、一枚の箱体形成片から成り、筒体に組み立てられた側面と、筒体の開口を閉鎖する蓋片が一体に設けられた包装箱に関する。
【背景技術】
【０００２】
従来、紙製等のシートから一体的に打ち抜かれて形成された一枚の箱体形成片を折り曲げて糊付けし、引き起こして立体状に組み立てられる包装箱がある。このような包装箱は、例えば筒体に組み立てられる複数の側面を有し、この側面同士で組み立てられた筒体の両端部の開口を閉鎖する蓋片が一体に設けられている。蓋片は、一つの側面の端部に、開閉用折罫線を介して連続して設けられ、蓋片の、開閉用折罫線と反対側の端部には、蓋片を閉じた時に対向する側面の裏面側に差し込む差込片が、差込み用折罫線を介して設けられている。また、蓋片が設けられた側面の両側に位置する側面に、蓋片の裏面に重ねられるフラップを設け、差込み用折罫線の両端部に、フラップの一部が差し込まれる切込線を設け、蓋片が筒体に開口に閉じられた時にフラップに係止されて封止されるものもある。
【０００３】
例えば、特許文献１に開示されている包装用箱は、蓋片が前方に折り曲げられて、差込片が前壁の内面に沿って差し込まれることにより、蓋片によって周囲壁の上端開口が閉鎖される一方、差込片の両端係止部が、両側フラップの係止受け部にその前方側から下側に回り込んで係止するようになっている。両側フラップにおける係止受け部の前端には、前方へ突出し、かつ前壁の上端縁に係止可能な突出部が設けられている。差込片の両端には、切込部の奥端部の位置から内側に向けて延び、かつ切込部に連通する切込延長部が形成されている。切込部および切込延長部によって蓋片から切り離された差込片の両端は、両端切り離し部として構成され、両端切り離し部の先端に、両端係止部が設けられている。この包装用箱によれば、蓋片を周囲壁の上端開口に軽く押し込むだけで、両端係止部が係止受け部の下側に回り込むことができ、蓋片を閉鎖状態に確実にロックすることができる。
【０００４】
また、差込片を側面の裏面に接着して蓋片を閉鎖状態にするものもある。例えば、特許文献２に開示されている不正開封防止箱は、天板と底板、及び一対の側板からなる多角筒状胴部の開口において、天板端部に、先端に差込片を有する蓋板が連接している。一対の側板には、フラップが設けられ、蓋板と差込片を区切る折罫線の両端部には、フラップに係止される切込線が形成されている。そして、底板の端縁部には、端辺から底板内に延びる２本のミシン線と、このミシン線の端部同士を結ぶ基部線とによって区画形成されるつまみ片を設けている。包装時には、差込片を胴部内側に差し入れた状態で、差込片と摘み片とを接着し、封止する。この不正開封防止箱によれば、開封する際につまみ片が破れて開封した痕跡が残るため、不正な開封を防止することができる。
【先行技術文献】
【特許文献】
【０００５】
【特許文献１】特開２０１３−２０９１１４号公報
【特許文献２】特開平８−２９５３３２号公報
【考案の概要】
【考案が解決しようとする課題】
【０００６】
上記背景技術の場合、差込片と蓋片を区切る折罫線は、フラップが切込線に差し込まれたときにフラップの裏面に確実に当接するように、切込線よりも後退して設けられている。つまり、差込片から離れる方向へ移動している。このため、側面で組み立てられた筒体の開口に蓋片が閉鎖されたとき、蓋片は開口に嵌合される形状に形成されているにもかかわらず、差込片を有する辺と側面の間には隙間が生じる。この隙間があるため、差込片と側面を糊付けする時に十分な圧力をかけることができず、接着強度が十分に得られない恐れがある。また隙間に、外からほこり等の異物が入る恐れもある。
【０００７】
この考案は、上記背景技術の問題点に鑑みてなされたものであり、確実に蓋片を閉じることができ、蓋片と側面との隙間が小さく、異物の混入を防ぐことができる包装箱を提供することを目的とする。
【課題を解決するための手段】
【０００８】
本考案は、筒体に組み立てた複数の側面と、前記側面の一つに開閉用折罫線を介して連続し前記筒体の開口を閉鎖する蓋片と、前記蓋片の先端に差込み用折罫線を介して連続する差込片と、前記蓋片が連続する前記側面の両側に隣接する前記側面に連続し前記蓋片の裏面に重ねられて前記蓋片を閉鎖した状態で係止するフラップが設けられ、前記差込み用折罫線の両方の端部には、前記蓋片の側縁部に連通する切断線が設けられ、前記切断線は、前記差込み用折罫線の端部に交差して連続し前記開閉用折罫線から離れる方向へ延出する短線と、前記短線の前記開閉用折罫線から離れる方向の端部に連続し前記開閉用折罫線に対して略平行に位置し前記蓋片の前記側縁部に達する長線とで形成され、前記蓋片を前記開閉用折罫線で折り、前記差込み用折罫線で前記差込片を折り、前記差込片を前記蓋片が設けられている前記側面に対面する一つの前記側面の裏面に差し込んで前記開口を閉鎖し、前記差込片の、前記切断線の前記長線に隣接する部分が前記フラップの裏面に当接し、前記蓋片の引き上げを防いで前記蓋片が開封状態で係止される包装箱である。前記差込片の、前記差込み用折罫線に沿う方向の両端部付近は、前記差込片が差し込まれた前記側面から所定の間隔を開けて位置し、前記差込片の、前記差込み用折罫線に沿う方向の中間部分は、前記差込片が差し込まれた前記側面に近づいている。
【０００９】
前記差込み用折罫線は、長手方向の中間が前記開閉用折罫線から離れる方に膨出する円弧で形成され、前記差込み用折罫線の長手方向の中間は、前記切断線の前記一対の前記長線を結ぶ仮想線上にほぼ位置している。これにより、前記差込片の前記差込み折罫線に沿う方向の中間部分は、前記差込片が差し込まれた前記側面に近づいている。
【００１０】
前記差込片の、前記差込み用折罫線に沿う方向の中間部分には、前記差込片を前記側面に差し込んだ時に前記側面側に突出するエンボス部が設けられていても良い。これにより、前記差込片の前記差込み折罫線に沿う方向の中間部分は、前記差込片が差し込まれた前記側面に近づいている。
【００１１】
前記差込片が差し込まれた前記側面には、断続する切れ目で形成された開封線で囲まれた開封口が設けられ、前記差込片は前記側面に差し込んで前記開封口に糊付けされて封止される。
【考案の効果】
【００１２】
本考案の包装箱は、確実に蓋片を閉じることができ、糊付け等が容易であり、封止しやすいものである。また、蓋片と側面との隙間が小さく、ほこり等の異物が入ることを防ぐ。
【図面の簡単な説明】
【００１３】
【図１】この考案の第一実施形態の包装箱の上蓋片から見た斜視図である。
【図２】この考案の第一実施形態の包装箱の下蓋片から見た斜視図である。
【図３】この考案の第一実施形態の包装箱の展開図である。
【図４】この考案の第二実施形態の包装箱の展開図である。
【考案を実施するための形態】
【００１４】
以下、この考案の実施形態について図面に基づいて説明する。図１〜図３はこの考案の第一実施形態を示すもので、この実施形態の包装箱１０は、紙製の１枚のシートを打ち抜いて形成された箱体形成片１２を組み立てて設けられている。図３は箱体形成片１２を表面から見た展開図であり、箱体形成片１２は、側面１４，１６，１８，２０が、互いに平行に連接して形成されている。側面１４，１６，１８，２０は、連接している幅方向の長さがほぼ同じであり、連接方向の長さは、側面１４，１８が長くて互いにほぼ等しく、側面１６，２０が短くて互いにほぼ等しい。側面１４の側縁部には、包装箱１０の組立状態で側面２０の裏面に糊付けされる糊付片２２が設けられている。糊付片２２、側面１４，１６，１８，２０は、各々折罫線２４，２６，２８，３０で区切られて設けられている。
【００１５】
側面１４の、隣接する側面１６との連接方向に対して平行に位置する一方の端部は、この実施形態では、包装箱１０を組み立てて使用する際に上方に位置する上端部１４ａである。上端部１４ａに接する部分には、コの字の断続する切れ目で形成された開封線３２が設けられている。開封線３２の両端部は端部１４ａに達し、開封線３２の中央部分が側面１４の中央に向かったコの字に形成されている。側面１４の端部１４ａと、開封線３２とで囲まれた矩形の部分は、開封する時に押して開封線３２を切断する開封口３３となる。開封線３２は、コの字形ではなく半円形状等でもよい。側面１４の、端部１４ａとは反対側の下端部１４ｂにも、上端部１４ａと同様に、開封線３２と開封口３３が設けられている。
【００１６】
側面１６の、側面同士の連接方向に対して直角な方向の両端部には、矩形のフラップ３４が折罫線３６で区切られて各々設けられている。フラップ３４の、折罫線２６の延長上に位置する側縁部には、折罫線２６に対して平行な直線と、この直線に連続しフラップ３４の先端に近づくにつれて折罫線２６の延長線上から離れる方向に傾斜する直線で形成された係止凸部３８が設けられている。フラップ３４の、折罫線２８の延長上に位置する側縁部は、後述する上蓋片４０の側縁部４０ａから所定の間隔をあけて位置している。
【００１７】
側面１８の、側面１４の上端部１４ａの延長上に位置する上端部１８ａには、矩形の上蓋片４０が開閉用折罫線４２で区切られて設けられている。上蓋片４０の形状は、側面１４，１６，１８，２０を筒状に組み立てた時に端部に位置する開口を閉鎖する矩形であり、開閉用折罫線４２に対して平行な長さは側面１４，１８と同じであり、開閉用折罫線４２に対して直角な方向の長さは側面１６，２０の、側面同士の連接方向の長さとほぼ等しい。上蓋片４０の、開閉用折罫線４２とは反対側の端部には、略矩形の差込片４４が差込み用折罫線４６で区切られて設けられている。差込み用折罫線４６は、長手方向の中間が開閉用折罫線４２から離れる方に膨出する円弧状に形成されている。
【００１８】
差込み用折罫線４６の両方の端部４６ａには、包装箱１０を使用する際にフラップ３４の係止凸部３８が差し込まれて係止される切断線４８が設けられている。切断線４８は、互いに直角に位置する短線４８ａと長線４８ｂとでＬ字形に形成されている。長線４８ｂは、開閉用折罫線４２に対して略平行に位置し、上蓋片４０の側縁部４０ａに達する直線である。短線４８ａは、長線４８ｂの側縁部４０ａとは反対側の端部に略直角に連続し、開閉用折罫線４２に向って延出する短い直線である。
【００１９】
差込み用折罫線４６の端部４６ａは、短線４８ａの長さの途中に交差して連続している。つまり、差込み用折罫線４６の端部４６ａは、長線４８ｂよりも開閉用折罫線４２に近い位置にある。なお、差込み用折罫線４６は長手方向の中間が開閉用折罫線４２から離れる方に膨出する円弧で形成されており、円弧の径は、差込み用折罫線４６の長手方向の中間が、切断線４８の長線４８ｂの延長線上にほぼ位置するものである。長線４８ｂの長さは、フラップ３４の係止凸部３８の直線部分よりも少し長いものであり、上蓋片４０を閉鎖した時にフラップ３４の係止凸部３８が差し込み可能である。
【００２０】
差込片４４は、上蓋片４０との連接方向の長さは上蓋片４０の半分程度の短いものであり、上蓋片４０との連接方向に対して直角な方向の長さは、上蓋片４０より僅かに短く、切断線４８の長線４８ｂの長さの途中に、両側縁部が位置している。差込片４４の、長線４８ｂに隣接する部分は、上蓋片４０を閉鎖したときにフラップ３４の裏面に当接する係止部４５となる。差込片４４の、差込み用折罫線４６とは反対側の先端部４４ａは、開閉用折罫線４２に対して平行な直線であり、両端部分は丸く面取りされている。差込片４４の中央部分には、エンボス部５０が設けられている。エンボス部５０は、箱体形成片１２の表面１２ａに凸となるもので、型押し等で形成される。エンボス部５０は、差込み用折罫線４６と、差込片４４の先端部４４ａに連続して形成され、差込み用折罫線４６に一致する辺を下底とし先端部４４ａに一致する辺を上底とする台形状である。なお、側面１４の開封口３３とほぼ同じ形状でもよい。
【００２１】
側面１８の、開閉用折罫線４２とは反対側の下端部１８ｂには、上蓋片４０とほぼ同様の矩形の底蓋片５２が開封用折罫線５４で区切られて設けられている。底蓋片５２の、開封用折罫線５４とは反対側の端部には、差込片４４とほぼ同様の略矩形の差込片５６が差込み用折罫線５８で区切られて設けられている。差込み用折罫線５８は、開封用折罫線５４に対して平行な直線である。差込み用折罫線５８の両方の端部５８ａには、Ｌ字形の切断線４８が連続して設けられている。切断線４８は、差込み用折罫線４６の両方の端部４６ａに形成された切断線４８と同じ形状であり、互いに直角に位置する短線４８ａと長線４８ｂとでＬ字形に形成されている。長線４８ｂは、開封用折罫線５４に対して略平行に位置し底蓋片５２の側縁部５２ａに達する直線である。短線４８ａは、長線４８ｂの側縁部５２ａとは反対側の端部に略直角に連続し開封用折罫線５４に向って延出する短い直線である。差込み用折罫線５８の端部は、短線４８ａの長さの途中に交差して連続している。つまり、差込み用折罫線５８は、長線４８ｂよりも開封用折罫線５４に近い位置にある。
【００２２】
差込片５６は、差込片４４とほぼ同じ形状であり、差込片５６の、差込み用折罫線５８とは反対側の先端部５６ａは、開封用折罫線５４，５８に対して平行な直線であり、両端部分は丸く面取りされている。差込片５６の中央部分には、エンボス部５０が設けられている。エンボス部５０は、差込片４４に形成されたエンボス部５０とほぼ同じ形状であり、箱体形成片１２の表面１２ａに凸となるもので、型押し等で形成される。エンボス部５０は、差込み用折罫線５８と、差込片５６の先端部５６ａに連続して形成され、差込み用折罫線５８に一致する辺を下底とし先端部５６ａに一致する辺を上底とする台形状である。
【００２３】
側面２０の、側面同士の連接方向に対して直角な方向の両端部には、矩形のフラップ３４が折罫線３６で区切られて各々設けられている。側面２０に設けられたフラップ３４は、側面１６に設けられたフラップ３４とは線対象の形状であり、側面２０の、折罫線３０と反対側の側縁部２０ａの延長上に位置する側縁部には、側縁部２０ａに対して平行な直線と、この直線に連続しフラップ３４の先端に近づくにつれて側縁部２０ａの延長線上から離れる方向に傾斜する直線で形成された係止凸部３８が設けられている。フラップ３４の、折罫線３０の延長上に位置する側縁部は、底蓋片５２の側縁部５２ａから所定の間隔をあけて位置している。
【００２４】
次に、包装箱１０の組立方法について説明する。ここでは、図３が箱体形成片１２の表面１２ａを見たものであり、表面１２ａが凸になる折り方を正折り、そして表面１２ａとは反対側の裏面１２ｂが凸になる折り方を逆折りと称する。まず、糊付片２２の表面１２ａに糊６０を塗布する。糊６０は、折罫線２４に沿う直線状に長く塗布する。そして、折罫線２６を正折りし、次に折罫線３０を正折りし、側面２０の裏面１２ｂに糊付片２２を糊付けする。この時、箱体形成片１２は折り畳み状態となり、この状態で、商品である収容物を包装する工場へ出荷される。
【００２５】
次に、収容物を収容し包装する工場において、折罫線２４，２６，２８，３０を各々９０°に正折りして四角形の筒体にする。次に、側面１４の下端部１４ｂ側の開封口３３に糊６２を塗布し、一対のフラップ３４を折罫線３６で各々９０°に正折りし、その後底蓋片５２を開封用折罫線５４で９０°に正折りし、更に差込片５６を差込み用折罫線５８で正折りして側面１４の下端部１４ｂから側面１４の裏面１２ｂに沿って差し込む。差込片５６のエンボス部５０は、差込片５６の表面１２ａ側に凸となっているため、図２に示すように、差込片５６を側面１４の裏面１２ｂに差し込んだ時に、開封口３３付近に隙間なく当接し、確実に糊６２に糊付けされる。
【００２６】
底蓋片５２の一対の切断線４８には、フラップ３４の係止凸部３８が差し込まれ、係止部４５はフラップ３４の裏面１２ｂに当接し、底蓋片５２が閉じた状態で係止される。係止部４５が、フラップ３４の係止凸部３８の裏面１２ｂの、長線４８ｂから十分に離れた位置に確実に当接するように、差込み用折罫線５８は長線４８ｂよりも開封用折罫線５４に近い位置に設けられているため、底蓋片５２の差込み用折罫線５８と、側面１４の裏面１２ｂとの間に隙間が生じるが、差込片５６にはエンボス部５０が裏面１２ｂに向かって突出し、開封口３３に隙間なく当接しているため、糊６２で確実に糊付けされる。
【００２７】
底蓋片５２が下方の開口を閉鎖し、側面１４，１６，１８，２０が筒体に維持されることにより、筒体の内側に収容空間が形成される。この状態で、開口した他方の上端部１４ａ側から収容空間に収容物を入れる。そして、下端部１４ｂと同様に、側面１４の上端部１４ａ側の開封口３３に糊６４を塗布し、一対のフラップ３４を折罫線３６で各々９０°に正折りし、その後上蓋片４０を開閉用折罫線４２で９０°に正折りし、更に差込片４４を差込み用折罫線４６で正折りして側面１４の上端部１４ａから側面１４の裏面１２ｂに沿って差し込む。差込片４４のエンボス部５０は、差込片４４の表面１２ａ側に凸となっているため、図１に示すように、差込片４４を側面１４の裏面１２ｂに差し込んだ時に開封口３３付近に突出して隙間なく当接し、確実に糊６４に糊付けされる。
【００２８】
上蓋片４０の一対の切断線４８には、フラップ３４の係止凸部３８が差し込まれ、係止部４５はフラップ３４の裏面１２ｂに当接し、上蓋片４０が閉じた状態で係止される。係止部４５が、フラップ３４の係止凸部３８の裏面１２ｂの、長線４８ｂから十分に離れた位置に確実に当接するように、差込み用折罫線４６の端部４６ａは長線４８ｂよりも開閉用折罫線４２に近い位置に設けられているため、上蓋片４０の差込み用折罫線４６端部４６ａと、側面１４の裏面１２ｂとの間に隙間が生じるが、差込み用折罫線４６は側面１４の裏面１２ｂに向って膨出する円弧で形成されているため、隙間は端部４６ａから離れるにつれて小さくなる。差込み用折罫線４６の中間は、長線４８ｂの延長線上にあるため、側面１４の開封口３３付近では隙間がない。上端部１４ａからは、ほこり等の異物が入りやすいが、差込み用折罫線４６が円弧で形成されており側面１４との隙間が小さいため、異物の侵入を防ぐ。また、差込片５６にはエンボス部５０が裏面１２ｂに向かって突出し、開封口３３に隙間なく当接しているため、糊６４で確実に糊付けされる。
【００２９】
上蓋片４０により上方の開口が閉鎖されると、包装箱１０の包装が完了する。包装箱１０から内容物を取り出す時は、側面１４のいずれか一方の開封口３３を押して開封線３２を切断し、差込片４４又は差込片５６を押し上げて、上蓋片４０又は底蓋片５２を開ける。上蓋片４０又は底蓋片５２を強い力で開けると、差込片４４又は差込片５６の係止部４５がフラップ３４から離れ、係止が解除され、開封される。包装箱１０を使用した後は、両方の開封線３２を切断して上蓋片４０と底蓋片５２を開くことで平坦な折り畳み状態となり、廃棄しやすくなる。
【００３０】
この実施形態の包装箱１０によれば、確実に上蓋片４０と底蓋片５２を、フラップ３４に係止して閉じることができ、エンボス部５０が開封口３３に向かって突出しているため、開封口３３に隙間なく当接し糊６２，６４により確実に糊付けすることができる。差込み用折罫線４６は、開封口３３に向かって膨出する円弧で形成されているため、側面１４の裏面１２ｂとの隙間が小さく、異物の混入を防ぐことができる。さらに、差込み用折罫線４６は、径が大きい円弧で形成されているため、外観が自然で違和感がない。底蓋片５２側からほこり等の異物が入ることは、上蓋片４０側に比べて少ないため、差込み用折罫線５８は直線で形成されているが、差込み用折罫線５８も差込み用折罫線４６と同様に円弧で形成されてもよい。
【００３１】
次にこの考案の第二実施形態について図４に基づいて説明する。なお、ここで、上記実施形態と同様の部材は同様の符号を付して説明を省略する。この実施形態の包装箱７０は、紙製の１枚のシートを打ち抜いて形成された箱体形成片７２を組み立てて設けられている。図４は箱体形成片７２を表面から見た展開図である。差込片４４，５６には、いずれもエンボス部５０が設けられていない。なお、上端部１４ａに位置する上蓋片４０の差込み用折罫線４６は、円弧で形成されているため、上蓋片４０を閉じて、差込片４４を側面１４の裏面１２ｂに差し込んだ時に、開封口３３付近に突出して隙間なく当接し、確実に糊６４に糊付けされる。
【００３２】
この実施形態の包装箱７０は、上記実施の形態と同様の効果を有するものである。エンボス部５０を形成する為の押型が不要で、製造が簡単である。なお、底蓋片５２の差込み用折罫線５８は直線であるが、差込み用折罫線４６と同様に円弧で形成してもよい。
【００３３】
なお、この考案の包装箱は、上記各実施形態に限定されるのもではない。差込み用折罫線が円弧で形成されているものと、エンボス部が設けられているものと、どちらか一方でも隙間を小さくする効果はあり、両方を備えるとより効果が高くなる。内容物や用途に合わせて選択可能であり、円弧の差込み用折罫線とエンボス部の両方を備えてもよく、円弧の差込み用折罫線又はエンボス部だけを備えてもよい。上蓋片と底蓋片では、同じものを備えてもよく、異なるものにしても良い。箱体の各部材の形状は自由に変更可能であり、糊付片や開封口の、位置や形状等適宜変更可能である。
【符号の説明】
【００３４】
１０，７０  包装箱
１２，７２  箱体形成片
１４，１６，１８，２０  側面
３２  開封線
３３  開封口
３４  フラップ
４０  上蓋片
４０ａ，５２ａ  側縁部
４２，５４  開閉用折罫線
４４，５６  差込片
４６，５８  差込み用折罫線
４６ａ，５８ａ  端部
４８  切断線
４８ａ  短線
４８ｂ  長線
５０  エンボス部
５２  底蓋片
【図１】
0003217875.tif 000003
【図２】
0003217875.tif 000004
【図３】
0003217875.tif 000005
【図４】
0003217875.tif 000006